(57)【要約】【課題】操作性の良い吐出容器を提供する。【解決手段】上方開口の口部を有するボトル２と、前記口部に装着されるとともに上方に突出するステム３０を有し、このステム３０の前記ボトル２に対する相対的な上下動により前記ボトル２から液体を吸い上げてステム３０より吐出する吐出器２０と、ボトル２及び吐出器２０の外周面を囲むカバー筒４２とを具備する。前記カバー筒４２の上部に連結されたノズル６４が前記ステム３０に接続されており、前記カバー筒４２の一部に内方への押込み可能な操作片４４を形成するとともに、前記ボトル２の胴部４に、上端側から斜め下側への傾斜面であるスライド面部Ｓを備えた被操作部６を設ける。前記操作片４４を内方へ押し込んだときに前記操作片４４の上端である押圧用端部４４ａが前記スライド面部Ｓに当接して、前記カバー筒４２に対してボトル２を押し上げる。【選択図】図１
2020192273.tif 000002
【特許請求の範囲】
【請求項１】
上方開口の口部を有するボトル(２)と、
前記口部に装着されるとともに上方に突出するステム(３０)を有し、このステム(３０)の前記ボトル(２)に対する相対的な上下動により前記ボトル(２)から液体を吸い上げてステム(３０)より吐出するように構成された吐出器(２０)と、
これらボトル(２)及び吐出器(２０)の外周面を囲むカバー筒(４２)と、
前記カバー筒(４２)の上部に連結されるとともに前記ステム(３０)に接続させたノズル(６４)と、
を具備しており、
前記カバー筒(４２)の一部に内方への押込み可能な操作片(４４)を形成するとともに、
前記ボトル(２)の胴部(４)にスライド面部(Ｓ)を備えた被操作部(６)を設け、
前記スライド面部(Ｓ)は前記被操作部(６)の上端側から下内方へ傾く傾斜面として形成されており、
前記操作片(４４)を内方へ押し込んだときに前記操作片(４４)の上端である押圧用端部(４４ａ)が前記スライド面部(Ｓ)に当接して、前記カバー筒(４２)に対してボトル(２)を押し上げるように構成したことを特徴とする、吐出容器。
【請求項２】
前記被操作部(６)として、前記胴部(４)の両側に配置した一対の前記被操作部(６)を、また前記操作片(４４)として、前記被操作部(６)の外側に位置する一対の操作片(４４)をそれぞれ形成したことを特徴とする、請求項１に記載の吐出容器。
【請求項３】
前記被操作部(６)は、上方凹側部(８)と凹底部(１０)と下方凹側部(１２)とからなる凹部に形成されており、
前記上方凹側部(８)は前記胴部(４)の上端部から下内方へ傾斜しており、この上方凹側部(８)の表面が前記スライド面部(Ｓ)であり、
前記下方凹側部(１２)は前記凹底部(１０)の下端から前記胴部(４)の下部まで下外方へ傾斜しており、
前記操作片(４４)は、前記カバー筒(４２)の筒壁のうちで前記被操作部(６)と向かい合う部分に、縦長の逆Ｕ字形の切割り(４６)を穿設することにより形成したことを特徴とする、請求項１又は請求項２に記載の吐出容器。
【請求項４】
前記カバー筒(４２)に対して前記ボトル(２)を回転可能に設け、
前記カバー筒(４２)に、ロック用溝部(５０ａ)及び昇降用溝部(５０ｂ)を有するロック用溝(５０)を形成するとともに、
前記ボトル(２)から、前記ロック用溝部(５０ａ)と昇降用溝部(５０ｂ)との間を移動可能な係合突部(１４)を外方に向けて突設したことを特徴とする、請求項１から請求項３のいずれかに記載の吐出容器。
【請求項５】
前記ロック用溝(５０)は、低背のロック用溝部(５０ａ)から高背の昇降用溝部(５０ｂ)へ連続する略Ｌ字形に形成され、そのロック用溝部(５０ａ)と昇降用溝部(５０ｂ)との接続部位から、ストッパ(５２)を突設し、
前記ボトル(２)と前記カバー筒(４２)とを相対的に回転させることにより、前記係合突部(１４)が前記ストッパ(５２)を乗り越えて前記ロック用溝部(５０ａ)から前記昇降用溝部(５０ｂ)へ入ることができるように前記ストッパ(５２)の突設長を設定したことを特徴とする、請求項４に記載の吐出容器。
【発明の詳細な説明】
【技術分野】
【０００１】
本発明は、吐出容器に関する。この吐出容器の使用方法の一例として本発明を点鼻薬容器に適用することができる。
【背景技術】
【０００２】
この種の吐出容器として、特許文献１に記載のものは、上面開口の口部を有するボトルと、前記口部に装着された吐出器と、前記ボトルの胴部の前半部を覆う半筒状のカバー体とを具備し、前記吐出器から起立するノズルを前記カバー体の上部に固定するとともに、前記ボトルの胴部後面に指掛け用凹部を形成し、この指掛け用凹部に指を当てて押し上げることにより、前記カバー体の内面に沿って前記ボトルを上方へスライドさせると、前記ノズルから内容液が吐出されるように構成してされている。
【先行技術文献】
【特許文献】
【０００３】
【特許文献１】特許第５４３９０３７号
【発明の概要】
【発明が解決しようとする課題】
【０００４】
特許文献１の吐出容器は、例えば片手の親指を指掛け部に当てるとともに残りの４指でカバー体を把持した状態で親指を押し上げることで使用するものであり、人によっては、その動作を窮屈に感ずる場合があった。また、例えば、全高が大きいボトルを使用すると、手の開きが大きくなり、操作性が悪くなる場合があった。
【０００５】
本発明の目的は、操作性の良い吐出容器を提供することである。
【課題を解決するための手段】
【０００６】
第１の手段は、上方開口の口部を有するボトル２と、
前記口部に装着されるとともに上方に突出するステム３０を有し、このステム３０の前記ボトル２に対する相対的な上下動により前記ボトル２から液体を吸い上げてステム３０より吐出するように構成された吐出器２０と、
これらボトル２及び吐出器２０の外周面を囲むカバー筒４２と、
前記カバー筒４２の上部に連結されるとともに前記ステム３０に接続させたノズル６４と、
を具備しており、
前記カバー筒４２の一部に内方への押込み可能な操作片４４を形成するとともに、
前記ボトル２の胴部４にスライド面部Ｓを備えた被操作部６を設け、
前記スライド面部Ｓは前記被操作部６の上端側から下内方へ傾く傾斜面として形成されており、
前記操作片４４を内方へ押し込んだときに前記操作片４４の上端である押圧用端部４４ａが前記スライド面部Ｓに当接して、前記カバー筒４２に対してボトル２を押し上げるように構成した。
【０００７】
本手段は、図１に示す如く、ボトル２及び吐出器２０の外周面を囲むカバー筒４２の一部に内方への押込み可能な操作片４４を形成するとともに、ボトル２の胴部４にスライド面部Ｓを備えた被操作部６を設けている。
この構成によれば、操作片４４を内方へ押し込んだときに前記操作片４４の押圧用端部４４ａが前記スライド面部Ｓに沿って摺動して、当該ボトル２を前記カバー筒４２に対して押し上げることができる。
このため、本発明では、カバー筒を握りながら操作片に当てた指を内方へ押し込めばよく、安定した操作が可能となり、操作性が良い。
【０００８】
第２の手段は、第１の手段を有し、かつ前記被操作部６として、前記胴部４の両側に配置した一対の前記被操作部６を、また前記操作片４４として、前記被操作部６の外側に位置する一対の操作片４４をそれぞれ形成した。
【０００９】
本手段は、図１に示すように、前記胴部４の両側に配置した一対の前記被操作部６と、これら被操作部６の外側に位置する一対の操作片４４とを有する。
この構造によれば、これら操作片４４を両側から２本の指で挟んで押し込むことにより、内容液を吐出させることができるので、吐出作業が一層容易となる。
【００１０】
第３の手段は、第１の手段又は第２の手段を有し、かつ前記被操作部６は、上方凹側部８と凹底部１０と下方凹側部１２とからなる凹部に形成されており、
前記上方凹側部８は前記胴部４の上端部から下内方へ傾斜しており、この上方凹側部８の表面が前記スライド面部Ｓであり、
前記下方凹側部１２は前記凹底部１０の下端から前記胴部４の下部まで下外方へ傾斜しており、
前記操作片４４は、前記カバー筒４２の筒壁のうちで前記被操作部６と向かい合う部分に、縦長の逆Ｕ字形の切割り４６を穿設することにより形成した。
【００１１】
本手段では、図１に示すように、前記被操作部６を、胴部の上端から下内方へ傾斜する上方凹側部８と、凹底部１０と、当該凹底部から下外方へ傾斜する下方凹側部１２とで形成する凹部としており、この凹部と向かい合う場所に操作片４４を形成している。
この構造によれば、前記下方凹側部１２を設けたので、前記操作片４４を内方へ押し込だときに、この操作片４４の下半部が前記ボトルに当たることがなく、確実に押し込み操作を行うことができる。従って、前記操作片４４の押圧用端部４４ａによって前記スライド面部Ｓを十分に押し込むことができる。
【００１２】
第４の手段は、第１の手段から第３の手段のいずれかを有し、かつ前記カバー筒４２に対して前記ボトル２を回転可能に設け、
前記カバー筒４２に、ロック用溝部５０ａ及び昇降用溝部５０ｂを有するロック用溝５０を形成するとともに、
前記ボトル２から、前記ロック用溝部５０ａと昇降用溝部５０ｂとの間を移動可能な係合突部１４を外方に向けて突設した。
【００１３】
本手段では、図１に示すように、カバー筒４２に、ロック用溝部５０ａ及び昇降用溝部５０ｂを有するロック用溝５０を形成している。そして前記ボトル２から係合突部１４を外方に向けて突設している。この係合突部１４は、前記カバー筒４２に対する前記ボトル２の回転操作により、前記ロック用溝部５０ａと昇降用溝部５０ｂとの間を移動可能である。
この構造によれば、前記ボトル２がカバー筒４２に対して不意に動いて内容液が吐出してしまうことを防止できる。
【００１４】
第５の手段は、第４の手段を有し、かつ前記ロック用溝５０は、低背のロック用溝部５０ａから高背の昇降用溝部５０ｂへ連続する略Ｌ字形に形成され、そのロック用溝部５０ａと昇降用溝部５０ｂとの接続部位から、ストッパ５２を突設し、
前記ボトル２と前記カバー筒４２とを相対的に回転させることにより、前記係合突部１４が前記ストッパ５２を乗り越えて前記ロック用溝部５０ａから前記昇降用溝部５０ｂへ入ることができるように前記ストッパ５２の突設長を設定した。
【００１５】
本手段では、図１に示すように、前記ロック用溝５０は、低背のロック用溝部５０ａから高背の昇降用溝部５０ｂへ連続する略Ｌ字形に形成されている。
そして前記のロック用溝部５０ａと昇降用溝部５０ｂとの接続部位から、ストッパ５２が突設されている。
この構造によれば、前記係合突部１４が不意にロック用溝部５０ａから昇降用溝部５０ｂへ入ってしまうことを防止できる。
【発明の効果】
【００１６】
第１の手段に係る発明によれば、カバー筒４２の一部に内方への押込み可能な操作片４４を、またボトル２の胴部４にスライド面部Ｓを備えた被操作部６をそれぞれ設け、操作片４４を内方へ押し込むと、操作片の押圧用端部４４ａが前記スライド面部Ｓを摺動して前記ボトル２を押し上げ、内容液を吐出するから、吐出操作が簡単で、操作性が良い。
第２の手段に係る発明によれば、前記胴部４の両側に配置した一対の前記被操作部６と、前記被操作部６の外側に位置する一対の操作片４４とをそれぞれ形成したから、これら操作片４４を両側から片手で挟むように操作することができ、作業が一層容易となる。
第３の手段に係る発明によれば、被操作部６は、胴部４の上端から下内方へ傾斜する上方凹側部８と、凹底部１０と、凹底部１０の下端から胴部４の下部まで下外方へ傾斜する下方凹側部１２とからなり、この被操作部と向かい合う場所に操作片４４を形成したから、操作片でスライド面部Ｓを確実にかつ十分に押し込むことができる。
第４の手段に係る発明によれば、カバー筒４２に、ロック用溝部５０ａ及び昇降用溝部５０ｂを有するロック用溝５０を設け、前記ボトル２から突出した係合突部１４が、前記ロック用溝部５０ａと昇降用溝部５０ｂとの間を移動するから、内容液の不用意な吐出を防止できる。
第５の手段に係る発明によれば、前記ロック用溝５０は、低背のロック用溝部５０ａから高背の昇降用溝部５０ｂへ連続する略Ｌ字形に形成され、そのロック用溝部５０ａと昇降用溝部５０ｂとの接続部位から、ストッパ５２を突設したから、前記係合突部１４が不意にロック用溝部５０ａから昇降用溝部５０ｂへ入ってしまうことを防止できる。
【図面の簡単な説明】
【００１７】
【図１】本発明の実施形態に係る吐出容器の一部切欠き正面図である。
【図２】図１の吐出容器の平面図である。
【図３】図１の吐出容器の要部拡大図である。
【図４】図１の吐出容器の側面図である。
【図５】図１の吐出容器の使用状態説明図である。
【発明を実施するための最良の形態】
【００１８】
図１から図５は、本発明の実施形態に係る吐出容器を示している。本実施形態では前記吐出容器を点鼻薬容器としているが、本発明は点鼻薬容器以外の吐出容器にも適用できる。
この点鼻薬容器は、ボトル２と、吐出器２０と、カバー部材４０と、棒状部材７２と、キャップ８０とで形成している。もっともこれらの構造は適宜変更することができる。
またこれら各部材は、例えば合成樹脂で形成することができる。
【００１９】
ボトル２は、胴部４から肩部１６を介して図示しない口部を起立している。このボトル２は、図示例では、図２に点線で示すように、円形の水平断面形状を有する。
【００２０】
前記胴部４は、図１に示すように、正面方向から見て、直径方向の両側に内方へ凹む一対の被操作部６を有する。これら被操作部は、図１の中心線Ｏを通る垂直面に対して、面対称に形成することが好適である。
なお、一対の被操作部６の一方を省略することもできる。
各被操作部６は、図示例では、上方凹側部８と凹底部１０と下方凹側部１２とからなる。
前記上方凹側部８は、前記胴部４の上側（図示例では前記肩部１６の近傍）から下内方へ傾斜するように形成されている。
前記上方凹側部８の表面は、スライド面部Ｓに形成している。
このスライド面部Ｓは、後述の操作片４４の押圧用端部４４ａをスライド（摺動）させるための面である。
前記スライド面部Ｓは、当該押圧用端部が円滑に摺動できるような滑面に形成することが好適である。
図示例では、図１に示すように、正面方向から見たスライド面部Ｓの輪郭が直線状になるように形成している。
このスライド面部Ｓの水平線に対する勾配は、前記操作片４４の内方押し込みが容易となるように設定する。図示の勾配は好適な一例であり、これに限定される訳ではない。
図１に示す上方凹側部８の下端から上端までの上下方向の高さＨＵは、後述のステムのストローク長に対応する押上げが可能となるように設計する。
前記凹底部１０は、被操作部６のうちで最も深く窪んだ部分であり、図示例では上下方向に一定の幅を有し、中心線Ｏと略平行とする。もっともこの構造は適宜変更することができる。
前記下方凹側部１２は、前記凹底部１０の下端から前記胴部４の下部まで下外方へ傾斜するように形成されている。
図示例において、図１に示す下方凹側部１２の下端から上端までの上下方向の高さＨＬは、上方凹側部８の上下方向の高さＨＵより大である。もっともこの構造は適宜変更することができる。
【００２１】
前記胴部４の適所（図示例では胴部の下端部）からは、係合突部１４が外方に向けて突設されている。
この係合突部１４は、前記被操作部６の形成箇所から前記胴部４の周方向にずれた位置に設けると良い。前記係合突部１４の周方向の両側には指掛け面１４ａが形成されている。
図示例では、図２に示すように胴部４の直径方向に位置する一対の係合突部１４を設けているが、その一方は省略してもよい。
【００２２】
吐出器２０は、ポンプ式の吐出器であり、筒状の装着部材２２によって前記ボトル２の口部に嵌合（螺着等）されている。
図示例の吐出器は、ボトル２内へ垂下されたシリンダ内をピストン部材が摺動することによって内容液を吐出する一般的な機構を採用でき、押込み可能に上方付勢されたステム３０を有している。
つまり、前記ステム３０は、スプリングなどの上方付勢手段により上方へ付勢されており、このステムの前記ボトル２に対する相対的な上下動により前記ボトルから液体を吸い上げ、前記ステム３０の開口部３２から吐出することが可能に構成されている。
前記装着部材２２は、リング状の頂板を有し、この頂板の上面外周部からガイド筒２４を起立している。
【００２３】
カバー部材４０は、カバー筒４２と、ノズル６４とを有する。このカバー部材４０は、前記ボトル２及び吐出器２０に対して、図１に示す中心線Ｏの回りで回転可能に形成されている。
前記カバー筒４２は、主として前記ボトル２及び前記吐出器２０の外周面を囲んでいる。
図示のカバー筒４２は、大径の下半筒部４２ａの上端部からフランジ状頂壁４２ｃを介して小径の上半筒部４２ｂを起立している。
この上半筒部４２ｂの上端には内向きフランジ５８が付設されている。この内向きフランジ５８の裏面からは大径の第１垂下筒部６０が、また前記内向きフランジ５８の内縁部からは小径の第２垂下筒部６２がそれぞれ垂設されている。
前記第１垂下筒部６０は、前記ガイド筒２４の内部へ挿入されている。
もっともこれらの構造は適宜変更することができる。
【００２４】
前記下半筒部４２ａには、前記被操作部６の外側に位置させて、一対の操作片４４が形成されている。なお、一対の操作片４４の片方を省略してもよい。
図示例では、これら操作片４４は、図１に示す如く、前記被操作部６の下端から上端付近までの部分に向かい合うように形成している。
各操作片４４は、図４に示す如く、前記下半筒部４２ａに逆Ｕ字形の切割り４６を穿設することで形成されている。
逆Ｕ字形の切割り４６は、操作片の上方及び周方向の両側方を切断する、一本の連続した貫通溝であり、この切割りによって囲まれた操作片４４を内方へ押し込むことが可能に形成している。“逆Ｕ字形”という用語は、前記押込み操作が可能な形状を意味し、例えば９０°回転したコ字形や逆Ｖ字形を含む。
図示例では、各操作片４４の下端は、前記切割り４６の両下端の間に形成されたヒンジ４８により、前記下半筒部４２ａと接続されている。
なお、これらの構造は適宜変更することができる。
前記操作片４４の上端部には、押圧用端部４４ａが形成されている。
この押圧用端部４４ａは、前記ボトル２を押し上げる役割を有する。
この役割は、図５に示すように、前記操作片４４を内方へ押し込むことにより、押圧用端部４４ａが前記ヒンジ４８を中心とする円弧Ｃに沿って移動し、その際に、被操作部６のスライド面部Ｓに沿って摺動して、擦りあげることで達成される。
前記円弧Ｃの半径Ｒは、前記操作片４４の上下長さに対応しており、この半径を長くとるほど、操作片４４の押圧用端部４４ａを内方に大きく押し込み易い。
そこで本実施形態では、前記ボトル２の胴部４の上端部から下部に亘る範囲に被操作部６を設け、かつ前記操作片４４を前記被操作部６の形状に対応して縦長に形成している。
また図示例では、図４に示す如く、前記操作片４４を縦長の略長方形に形成している。そしてこの長方形の上辺を、上辺の両端に比べて中央部がやや低い窪んだ形状とし、この中央部を押圧用端部４４ａとしている。
前記長方形の上辺を上記の形状とした理由は、周方向に湾曲したスライド面部Ｓの形状に合わせるためである。このような構造とすることにより、前記操作片４４の上縁が周方向の広範囲で前記スライド面部Ｓを摺動することになり、前記ボトル２の姿勢を安定した状態で押し上げることができる。
もっともこれらの構造は、適宜変更することができる。
【００２５】
また前記下半筒部４２ａの適所（図示例では正面側の下端部）には、ロック用溝５０が形成されている。このロック用溝５０内には前記係合突部１４が挿入されている。
図示例では、前記係合突部１４に対応して、前記カバー筒４４の直径方向に位置する一対のロック用溝５０を形成しているが、その構造は適宜変更することができる。
また図示例では、図１に示すように、前記カバー筒４２の下端と前記ロック用溝５０の下端とを一致させることにより、ロック用溝５０の下端を開口している。従って、この開口端部から前記係合突部１４を前記ロック用溝５０内に挿入させることができる。
このロック用溝５０は、ロック用溝部５０ａ及び昇降用溝部５０ｂを有する。
これらロック用溝部５０ａ及び昇降用溝部５０ｂは、周方向に隣接されている。従って、係合突部１４を周方向に押し込むことにより、前記ボトル２が前記カバー部材４０に対して回転し、前記係合突部１４が両溝部の間を移動することができる。
図示例のロック用溝５０は、低背のロック用溝部５０ａから高背の昇降用溝部５０ｂへ連続する略Ｌ字形に形成されている。
前記ロック用溝部５０ａの高さは、図３に示すように、前記係合突部１４の上下幅と等しく形成している。従って、係合突部１４がロック用溝部５０ａ内に入った状態で、前記操作片４４を内方へ押し込んでも、前記ボトル２を押し上げることができない。
また前記昇降用溝５０ｂの横幅は、図１及び図５に示すように、前記係合突部１４の横幅と同程度としている。
これら昇降用溝部５０ｂ及びロック用溝部５０ａの各上端のギャップＧは、前記吐出器２０のステム３０のストローク長さ以上とすることが望ましい。
前記ロック用溝部５０ａの上縁からは、このロック用溝部５０ａから昇降用溝部５０ｂへの接続する部位に位置させて、ストッパ５２が下方へ突設されている。
このストッパ５２の突出長は、前記ボトル２に対して前記カバー筒４２を回転させることにより、前記係合突部１４が前記ストッパを乗り越えて前記ロック用溝部５０ａから前記昇降用溝部５０ｂへ入ることができる程度に小さくしている。
【００２６】
前記ノズル６４は、前記カバー筒４２の上端に一体的に連設されている。もっともこの構造は適宜変更することができ、前記ノズル６４と前記カバー筒４２とは別体に形成してもよい。
図示例のノズル６４は、前記内向きフランジ５８の内縁から先端小径のテーパ状の筒周壁６５を起立している。この筒周壁６５の上端に半球状の頂部６６を形成し、この頂部６６の中央部に噴口６が開口されている。
さらにこの噴口６８を囲むように、前記頂部６６から連結筒部７０を垂下させている。
この連結筒部７０は、前記ステム３０の外面へ液密に嵌着させて固定している。
もっともこれらの構造は適宜変更することができる。
【００２７】
棒状部材７２は、前記連結筒部７０内に配置された部材である。この棒状部材７２は、細長い縦棒部７４の上端に付設した大径の頭部７６を前記連結筒部７０の上部内へ嵌着固定している。
前記頭部７６の回りにはスピン流路Ｐが形成されており、前記ステム３０から吐出された液体が前記縦棒部７４と連結筒部７０の間を通り、前記スピン流路Ｐを経由して噴口６８から噴霧されるように形成されている。
もっとも、図示例と異なり、内容物を噴霧させずに吐出する構造としてもよい。
【００２８】
キャップ８０は、前記ノズル６４の外側に着脱可能に嵌合されている。
【００２９】
図３に示す状態では、前記係合突部１４が前記ロック用溝部５０ａ内に位置しているため、前記一対の操作片４４を押しても、ボトル２を押し上げることができない。
図３の状態から、図２に矢示する方向へ係合突部１４を押し込むと、前記カバー部材４０に対して前記ボトル２が回転し、前記係合突部１４がストッパ５２を乗り越えて、図１に示すように、昇降用溝部５０ｂ内へ移動する。
図１の状態から、キャップ８０を外し、前記一対の操作片４４の外面に指を添えて前記カバー部材を片手で把持して、図５に示すように、両操作片４４を内方へ押し込むと、これら操作片４４が前記ヒンジ４８を中心として内側へ揺動する。
これにより、操作片４４の押圧用端部４４ａは、前記円弧Ｃに沿って移動して前記スライド面部Ｓと当接し、スライド面部Ｓを摺動しながら押し上げる。その結果、図５に示す押上げ力ｆが作用する。
本実施形態では、一対の操作片４４がスライド面部Ｓに対して押上げ力を及ぼすため、前記ボトル２を安定的に押し上げることができる。
また一対の操作片４４を片手で挟み付けることにより押し込みができるので、操作が容易である。
図１の状態では、前記係合突部１４が昇降用溝部５０ｂ内を上昇することができるため、前記ボトル２は前記シリンダとともに前記カバー部材４０に対して押し上げられる。
他方、前記ステム３０は前記連結筒部７０を介してカバー部材４０に固定されているため、前記吐出器２０のポンプ機能が作動し、前記ステム３０から液体が吐出される。
前記ステム３０から吐出された液体は、前記ノズル６４の内部を通り、前記噴口６８から噴霧される。
前記一対の操作片４４の押込みを解放すると、これら操作片４４は原位置に復元し、また前記ボトル２及びシリンダは、前記吐出器２０のスプリングなどの上方付勢手段の力によって元の場所へ下降する。
次に前記係合突部１４を、図２に矢示する方向と反対向きに押し込むと、前記ロック用溝部５０ａ内へ移動し、ロック状態に戻る。
【符号の説明】
【００３０】
２…ボトル  ４…胴部  ６…被操作部  ８…上方凹側部  １０…凹底部
１２…下方凹側部    
１４…係合突部  １４ａ…指掛け面  １６…肩部
２０…吐出器  ２２…装着部材  ２４…ガイド筒
３０…ステム  ３２…開口部
４０…カバー部材  ４２…カバー筒  ４２ａ…下半筒部  ４２ｂ…上半筒部
４２ｃ…フランジ状壁部
４４…操作片  ４４ａ…押圧用端部
４６…切割り  ４８…ヒンジ  ５０…ロック用溝  ５０ａ…ロック用溝部
５０ｂ…昇降用溝部  ５２…ストッパ
５８…内向きフランジ  ６０…第１垂下筒部  ６２…第２垂下筒部
６４…ノズル  ６５…筒周壁  ６６…頂部  ６８…噴口  ７０…連結筒部
７２…棒状部材  ７４…縦棒部  ７６…頭部  
８０…キャップ
Ｃ…円弧  ｆ…押上げ力  Ｇ…ギャップ
ＨＵ…上方凹側部の高さ  ＨＬ…下方凹側部の高さ  
Ｏ…中心線  Ｐ…スピン流路  Ｓ…スライド面部  
【図１】
2020192273.tif 000003
【図２】
2020192273.tif 000004
【図３】
2020192273.tif 000005
【図４】
2020192273.tif 000006
【図５】
2020192273.tif 000007